(57)【要約】【課題】ブック原稿の読み取りにおいて簡易に原稿の方向を検知する技術を提供する。【解決手段】本発明の画像形成装置は、ブック原稿を構成する複数の原稿のうち少なくとも１枚の原稿を裁置可能で、複数の原稿の画像を順に読み取って複数の画像データを含む画像データ群を生成する画像読取部と、画像データ群を解析して、原稿の本文が表示されている本文領域を特定し、特定された本文領域の位置に基づいてページ番号が表示されているページ番号領域を特定し、本文領域とページ番号領域の位置関係である第１の位置関係を決定し、決定された第１の位置関係と相違する第２の位置関係を有する原稿の画像である乱丁画像を検出する画像解析部とを備える。【選択図】図２
2018056783.tif 000002
【特許請求の範囲】
【請求項１】
画像読取装置であって、
ブック原稿を構成する複数の原稿のうち少なくとも１枚の原稿を裁置可能で、前記複数の原稿の画像を順に読み取って複数の画像データを含む画像データ群を生成する画像読取部と、
前記画像データ群を解析して、前記原稿の本文が表示されている本文領域を特定し、前記特定された本文領域の位置に基づいてページ番号が表示されているページ番号領域を特定し、前記本文領域と前記ページ番号領域の位置関係である第１の位置関係を決定し、前記決定された第１の位置関係と相違する第２の位置関係を有する原稿の画像である乱丁画像を検出する画像解析部と、
を備える画像読取装置。
【請求項２】
請求項１に記載の画像読取装置であって、
前記画像解析部は、前記第２の位置関係が前記第１の位置関係を有するように前記乱丁画像を第１の回転角度で回転させて前記乱丁画像を表す画像データを処理する画像読取装置。
【請求項３】
請求項１に記載の画像読取装置であって、さらに、
操作表示部を備え、
前記画像解析部は、前記乱丁画像を前記操作表示部に表示し、前記操作表示部への入力操作に応じて、前記第２の位置関係が前記第１の位置関係を有するように前記乱丁画像を第１の回転角度で回転させて前記乱丁画像を表す画像データを処理する画像読取装置。
【請求項４】
請求項３に記載の画像読取装置であって、
前記画像解析部は、前記第１の位置関係を有する原稿の画像である正常画像のヒストグラムと、前記乱丁画像のヒストグラムとを解析し、前記正常画像のヒストグラムと相違する方向に濃度減少が生じている場合に、前記正常画像と前記乱丁画像の前記濃度減少の方向を一致させるための前記乱丁画像の第２の回転角度を決定し、前記第２の回転角度と前記第１の回転角度とが一致する場合には、自動的に前記第１の回転角度で前記乱丁画像を表す画像データを回転させる画像読取装置。
【請求項５】
請求項１乃至４のいずれか１項に記載の画像読取装置であって、
前記画像読取部は、複数の原稿を裁置可能で、前記複数の原稿を自動的に１枚ずつ送って、前記複数の原稿の少なくとも１面の画像を読み取って画像データを生成する画像読取装置。
【請求項６】
画像形成装置であって、
請求項１乃至５のいずれか１項に記載の画像読取装置と、
前記画像読取装置によって生成された画像データに基づいて印刷媒体に画像を形成する画像形成部と、
を備える画像形成装置。
【請求項７】
画像読取方法であって、
ブック原稿を構成する複数の原稿のうち少なくとも１枚の原稿を裁置可能で、前記複数の原稿の画像を順に読み取って複数の画像データを含む画像データ群を生成する画像読取工程と、
前記画像データ群を解析して、前記原稿の本文が表示されている本文領域を特定し、前記特定された本文領域の位置に基づいてページ番号が表示されているページ番号領域を特定し、前記本文領域と前記ページ番号領域の位置関係である第１の位置関係を決定し、前記決定された第１の位置関係と相違する第２の位置関係を有する原稿の画像である乱丁画像を検出する画像解析工程と、
を備える画像読取方法。
【請求項８】
画像形成装置を制御する画像読取プログラムであって、
前記画像読取プログラムは、
ブック原稿を構成する複数の原稿のうち少なくとも１枚の原稿を裁置可能で、前記複数の原稿の画像を順に読み取って複数の画像データを含む画像データ群を生成する画像読取部、及び
前記画像データ群を解析して、前記原稿の本文が表示されている本文領域を特定し、前記特定された本文領域の位置に基づいてページ番号が表示されているページ番号領域を特定し、前記本文領域と前記ページ番号領域の位置関係である第１の位置関係を決定し、前記決定された第１の位置関係と相違する第２の位置関係を有する原稿の画像である乱丁画像を検出する画像解析部として前記画像形成装置を機能させる画像読取プログラム。
【発明の詳細な説明】
【技術分野】
【０００１】
本発明は、ブック原稿を読み取る画像読取装置、画像形成装置、画像読取方法及び画像読取プログラムに関する。
【背景技術】
【０００２】
近年、ビューワーの普及によって書籍原稿などのブック原稿を読み取って個人的に電子化する処理が広く行われるようになってきた。ブック原稿の読み取りにおいては、ブック原稿が載置される方向に応じて、ブック原稿を読み取った読取画像を回転処理することが望まれている。この回転処理に際して、特許文献１は、走査方向の濃度減少と濃度上昇とに基づき、原稿の綴じ部を識別し、走査方向の濃度ヒストグラムを解析して原稿方向を判断する技術を開示している。
【先行技術文献】
【特許文献】
【０００３】
【特許文献１】特開２０１４−０７２６９１号公報
【発明の概要】
【発明が解決しようとする課題】
【０００４】
しかし、本願発明者は、以下のような新規な課題を見いだした。（１）ページ数の少ないブック原稿の場合は、綴じ部を検知できるほどの十分な濃度変化が生じない可能性がある。（２）小型の画像形成装置では、ブック原稿の見開き両面が同時にスキャンできない場合がある。（３）ブック原稿を裁断して電子化する場合には、綴じ部の凹凸が消滅している。
【０００５】
本発明は、このような状況に鑑みてなされたものであり、ブック原稿の読み取りにおいて簡易に原稿の方向を検知する技術を提供することを目的とする。
【課題を解決するための手段】
【０００６】
本発明は、画像読取装置を提供する。前記画像読取装置は、ブック原稿を構成する複数の原稿のうち少なくとも１枚の原稿を裁置可能で、前記複数の原稿の画像を順に読み取って複数の画像データを含む画像データ群を生成する画像読取部と、前記画像データ群を解析して、前記原稿の本文が表示されている本文領域を特定し、前記特定された本文領域の位置に基づいてページ番号が表示されているページ番号領域を特定し、前記本文領域と前記ページ番号領域の位置関係である第１の位置関係を決定し、前記決定された第１の位置関係と相違する第２の位置関係を有する原稿の画像である乱丁画像を検出する画像解析部とを備える。
【０００７】
本発明は、画像読取方法を提供する。前記画像読取方法は、ブック原稿を構成する複数の原稿のうち少なくとも１枚の原稿を裁置可能で、前記複数の原稿の画像を順に読み取って複数の画像データを含む画像データ群を生成する画像読取工程と、前記画像データ群を解析して、前記原稿の本文が表示されている本文領域を特定し、前記特定された本文領域の位置に基づいてページ番号が表示されているページ番号領域を特定し、前記本文領域と前記ページ番号領域の位置関係である第１の位置関係を決定し、前記決定された第１の位置関係と相違する第２の位置関係を有する原稿の画像である乱丁画像を検出する画像解析工程と備える。
【０００８】
本発明は、画像読取装置を制御する画像読取プログラムを提供する。前記画像読取プログラムは、ブック原稿を構成する複数の原稿のうち少なくとも１枚の原稿を裁置可能で、前記複数の原稿の画像を順に読み取って複数の画像データを含む画像データ群を生成する画像読取部、及び前記画像データ群を解析して、前記原稿の本文が表示されている本文領域を特定し、前記特定された本文領域の位置に基づいてページ番号が表示されているページ番号領域を特定し、前記本文領域と前記ページ番号領域の位置関係である第１の位置関係を決定し、前記決定された第１の位置関係と相違する第２の位置関係を有する原稿の画像である乱丁画像を検出する画像解析部として前記画像読取装置を機能させる。
【発明の効果】
【０００９】
本発明によれば、ブック原稿の読み取りにおいて簡易に原稿の方向を検知する技術を提供することができる。
【図面の簡単な説明】
【００１０】
【図１】本発明の一実施形態に係る画像形成装置１の全体構成を示す概略構成図である。
【図２】一実施形態に係るブック原稿読取処理手順の内容を示すフローチャートである。
【図３】一実施形態に係る原稿読取処理手順におけるブック原稿のページ画像の一例を示す説明図である。
【図４】一実施形態に係る原稿方向特定処理の内容を示すフローチャートである。
【図５】一実施形態に係る原稿方向特定処理におけるヒストグラム解析処理を示す説明図である。
【図６】一実施形態に係る原稿方向特定処理におけるヒストグラム解析処理を示す説明図である。
【図７】変形例に係るブック原稿の画像読み取りの一例を示す説明図である。
【図８】変形例に係る操作表示部の例を示す説明図である。
【発明を実施するための形態】
【００１１】
以下、本発明を実施するための形態（以下、「実施形態」という）を、図面を参照して説明する。
【００１２】
図１は、本発明の一実施形態に係る画像形成装置１の全体構成を示す概略構成図である。画像形成装置１は、制御部１０と、画像形成部２０と、画像解析部３０と、記憶部４０と、操作表示部５０と、画像読取部１００とを備えている。画像読取部１００は、自動原稿送り装置（ＡＤＦ）１６０と原稿台１７０とを有し、原稿から画像を読み取ってデジタルデータである画像データＩＤを生成する。画像形成装置１は小型のいわゆるＡ４複合機なので、原稿台１７０は、ブック原稿を見開き状態で裁置できない。
【００１３】
画像形成部２０は、画像データＩＤに基づいて印刷媒体（図示せず）を搬送しつつ印刷媒体に画像を形成して排出する。また、画像形成装置１が外部端末装置と接続されている場合には、外部端末装置から送られてくる画像データＩＤに基づいて印刷媒体（図示せず）に画像を形成して排出することもできる。操作表示部５０は、タッチパネルとして機能するディスプレイ（図示せず）や各種ボタンやスイッチ（図示せず）からユーザーの操作入力を受け付ける。
【００１４】
なお、印刷媒体（図示せず）の搬送方向（紙送り方向）は、副走査方向Ｓ（図１参照）と呼ばれ、副走査方向Ｓと垂直な方向は、主走査方向Ｍと呼ばれる。
【００１５】
制御部１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１０は、各種Ｉ／Ｏ、ＵＳＢ（ユニバーサル・シリアル・バス）、バス、その他ハードウェア等のインターフェイスに関連するコントローラ機能を備え、画像形成装置１全体を制御する。
【００１６】
記憶部４０は、非一時的な記録媒体であるハードディスクドライブやフラッシュメモリー等からなる記憶装置で、制御部１０や画像解析部３０等が実行する処理の制御プログラムやデータを記憶する。
【００１７】
画像読取部１００は、光源部１１０と、第１反射鏡１３１と、第１キャリッジ１２０と、第２反射鏡１３５と、第３反射鏡１３６と、第２キャリッジ１３７と、集光レンズ１３８と、イメージセンサ１４１とを備えている。第１反射鏡１３１は、原稿からの反射光Ｌを第２反射鏡１３５の方向に反射する。第２反射鏡１３５は、反射光Ｌを第３反射鏡１３６の方向に反射する。第３反射鏡１３６は、反射光Ｌを集光レンズ１３８の方向に反射する。集光レンズ１３８は、反射光Ｌをイメージセンサ１４１の受光面に結像する。
【００１８】
第１キャリッジ１２０は、光源部１１０と第１反射鏡１３１とを搭載し、副走査方向Ｓに往復動する。第２キャリッジ１３７は、第２反射鏡１３５と第３反射鏡１３６とを搭載し、副走査方向Ｓに往復動する。第１キャリッジ１２０及び第２キャリッジ１３７は、制御部１０によって制御される走査機構の一部をなし、光源部１１０は原稿を副走査方向Ｓに走査することができる。これにより、イメージセンサ１４１は、原稿台１７０に裁置された原稿上の２次元画像に応じてアナログ電気信号を出力し、このアナログ電気信号がＡ／Ｄ変換されて画像データＩＤが生成される。
【００１９】
ＡＤＦ１６０は、複数の原稿を裁置可能で、原稿を１枚ずつ送って自動的に画像が読み取られる。原稿を自動的に搬送する自動原稿送り装置（ＡＤＦ）１６０が使用される場合には、第１キャリッジ１２０及び第２キャリッジ１３７は、予め設定されている副走査位置に固定され、原稿の自動送りによって走査が行われる。尚、ＡＤＦ１６０には、片面だけでなく両面を同時にあるいは逐次に読み取るものもある。
【００２０】
ＡＤＦ１６０は、紙送りローラ１６１と、原稿読取スリット１６２とを備えている。紙送りローラ１６１は、原稿の自動送りを行い、原稿の読み取りが原稿読取スリット１６２を介して行われる。この場合には、第１キャリッジ１２０が予め設定されている副走査位置に固定されるので、第１キャリッジ１２０に搭載されている光源部１１０も所定位置に固定されることになる。
【００２１】
図２は、一実施形態に係るブック原稿読取処理手順の内容を示すフローチャートである。ブック原稿読取処理手順は、本実施形態では、ブック原稿のページを進めつつページ毎に原稿台１７０に繰り返し裁置し、その画像を読み取って画像データを生成する処理である。ページ毎に裁置するのは、原稿台１７０は、ブック原稿を見開き状態で裁置できないからである。ブック原稿とは、本明細書では、製本された複数の原稿から構成されている原稿を意味する。ブック原稿読取モードでは、連続して取得される複数の画像データは、画像データ群として、解析用として一時的に上述の主記憶手段や記憶部４０に読み出し可能に記憶される。
【００２２】
ステップＳ１０では、ユーザーは、操作表示部５０を操作して、画像形成装置１の作動モードをブック原稿読取モードに設定する。ブック原稿読取モードとは、製本された複数の原稿の画像を読み取るための作動モードである。
【００２３】
ステップＳ２０では、ユーザーは、原稿台１７０にブック原稿を開いてページ毎に裁置（セット）する。原稿台１７０には、ブック原稿を開いて見開きの片側の１ページの原稿が読み取り可能に裁置される。
【００２４】
ステップＳ３０では、ユーザーは、操作表示部５０のスタートボタンを押下する。これにより、画像読取部１００は、ブック原稿の見開きの片側の１ページの原稿の画像を読み取ってページ画像を表す画像データを生成する。ユーザーは、必要に応じて、原稿台１７０においてブック原稿のページを進めつつページ毎に繰り返して画像データを取得し、前述のように複数の画像データを有する画像データ群が形成される。
【００２５】
図３は、一実施形態に係る原稿読取処理手順におけるブック原稿のページ画像の一例を示す説明図である。図３（ａ）は、第１ページ画像Ｐ１を示している。図３（ｂ）は、第２ページ画像Ｐ２を示している。第１ページ画像Ｐ１には、原稿本文が表示されている本文領域Ｔ１と、ページ番号が表示されているページ番号領域Ｎ１とが含まれている。第２ページ画像Ｐ２には、原稿本文が表示されている本文領域Ｔ２と、ページ番号が表示されているページ番号領域Ｎ２とが含まれている。
【００２６】
この例では、第１ページ画像Ｐ１と第２ページ画像Ｐ２とが逆方向に配置されている。第１ページ画像Ｐ１は、スタートボタンを押下に応じて取得され、第２ページ画像Ｐ２は、ステップＳ６０（後述）を経て次のスタートボタンの押下に応じて取得される。
【００２７】
ステップＳ４０では、画像形成装置１の画像解析部３０は、画像データ群を解析して、原稿方向特定処理を実行する。原稿方向特定処理とは、原稿台１７０におけるブック原稿のページ毎の配置方向を特定する処理である。画像解析部３０は、ブック原稿を読み取る際に、一部のページ画像の方向が変動（乱丁）しても検出された配置方向を利用して一定の方向に整列させて画像データを生成する。
【００２８】
図４は、一実施形態に係る原稿方向特定処理（ステップＳ４０）の内容を示すフローチャートである。図５及び図６は、一実施形態に係る原稿方向特定処理におけるヒストグラム解析処理を示す説明図である。ステップＳ４１では、画像解析部３０は、境界線検出処理を実行する。境界線検出処理は、本文領域Ｔ１の主走査方向Ｍ及び副走査方向Ｓの両端の境界を構成する二対の境界線ＢＬ１〜ＢＬ４を検出する処理である。原稿方向特定処理は、この例では、連続して読み取られる２つのページ画像に基づいて行われ、１つめのページ画像の方向を基準とし、２つめのページ画像の方向を特定する。
【００２９】
画像解析部３０は、先ず図５に示される第１ページ画像Ｐ１において、左側から主走査方向Ｍに各画素値を調べて、本文領域Ｔ１が開始される位置（主走査方向Ｍに垂直な境界線ＢＬ１）を検知し、本文領域Ｔ１が終了する位置（主走査方向Ｍに垂直な境界線ＢＬ２）を検知する。次に、画像解析部３０は、第１ページ画像Ｐ１において、下側から副走査方向Ｓに各画素値を調べて、本文領域Ｔ１が開始される位置（副走査方向Ｓに垂直な境界線ＢＬ３）を検知し、本文領域Ｔ１が終了する位置（副走査方向Ｓに垂直な境界線ＢＬ４）を検知する。
【００３０】
画像解析部３０は、次に図６に示される第２ページ画像Ｐ２において、左側から主走査方向Ｍに各画素値を調べて、本文領域Ｔ２が開始される位置（主走査方向Ｍに垂直な境界線ＢＬ１ａ）を検知し、本文領域Ｔ２が終了する位置（主走査方向Ｍに垂直な境界線ＢＬ２ａ）を検知する。次に、画像解析部３０は、第２ページ画像Ｐ２において、下側から副走査方向Ｓに各画素値を調べて、本文領域Ｔ２が開始される位置（副走査方向Ｓに垂直な境界線ＢＬ３ａ）を検知し、本文領域Ｔ２が終了する位置（副走査方向Ｓに垂直な境界線ＢＬ４ａ）を検知する。
【００３１】
ステップＳ４２では、画像解析部３０は、ページ番号領域検出処理を実行する。ページ番号領域検出処理は、一般的にページ番号が本文領域Ｔ１，Ｔ２の上方又は下方において、見開きページにおいて対称に配置されていることを利用して行われる。画像解析部３０は、第１ページ画像Ｐ１では、本文領域Ｔ１の副走査方向Ｓの端部（すなわち図５において本文領域Ｔ１の上下端ＢＬ３，ＢＬ４）の外側（上下側）において主走査方向Ｍの端部（すなわち図５において本文領域Ｔ１の左右端ＢＬ１，ＢＬ２）の近傍で小画像領域を探索する。画像解析部３０は、第２ページ画像Ｐ２では、本文領域Ｔ２の副走査方向Ｓの端部（すなわち図６において本文領域Ｔ２の上下端ＢＬ３ａ，ＢＬ４ａ）の外側（上下側）において主走査方向Ｍの端部（すなわち図６において本文領域Ｔ２の左右端ＢＬ１ａ，ＢＬ２ａ）の近傍で小画像領域を探索する。小画像領域は、ページ数の一般的な表示である１文字乃至３文字の数字の表示が想定される大きさの画像領域である。
【００３２】
ステップＳ４３では、画像解析部３０は、原稿方向検出処理を実行する。原稿方向検出処理は、第１ページ画像Ｐ１のページ番号領域Ｎ１と第２ページ画像Ｐ２のページ番号領域Ｎ２の位置を比較することによって行われる。この例では、画像解析部３０は、第２ページ画像Ｐ２を１８０度回転させると、ページ番号領域Ｎ１，Ｎ２が本文領域Ｔ１，Ｔ２の下方において、見開きページにおいて対称に配置されていることを再現することができる。すなわち、第１ページ画像Ｐ１では、本文領域Ｔ１が相対的に上側に配置され、ページ番号領域Ｎ１が相対的に下側に配置される一方、第２ページ画像Ｐ２では、本文領域Ｔ２が相対的に下側に配置され、ページ番号領域Ｎ２が相対的に上側に配置されている。
【００３３】
このように、第１ページ画像Ｐ１と第２ページ画像Ｐ２の例では、画像解析部３０は、読取時の第１ページ画像Ｐ１と第２ページ画像Ｐ２の上下方向が相互に反対であると決定することができる。これにより、ページ数の少ないブック原稿において、綴じ部を判断できるほどの十分な濃度変化が生じない場合においても第１ページ画像Ｐ１と第２ページ画像Ｐ２の方向の乱丁を検出することができる。
【００３４】
ステップＳ４４では、画像解析部３０は、ヒストグラム解析処理を実行する。ヒストグラム解析処理とは、原稿方向検出処理で乱丁の有無が検出された原稿方向を本文領域Ｔ１，Ｔ２のヒストグラム解析で決定する処理である。ヒストグラム解析は、カラー原稿とモノクロ原稿を想定し、たとえば輝度を使用して解析することができる。
【００３５】
ヒストグラム解析は、たとえば第１ページ画像Ｐ１では、図５のヒストグラムＨ１で示されるように、本文領域Ｔ１において各行の文書の方向（左側から右側）に沿って文頭からステップ状に立ち上がり、文末に向かって徐々に低下する傾向（濃度減少の傾向）を解析する処理である。この傾向は、文章の改行処理に起因して発生する処理であり、本文領域Ｔ１に表示される画像の多くが文章であることを利用したものである。この処理は、本文領域Ｔ２についても同様に行われる。第２ページ画像Ｐ２では、図６のヒストグラムＨ２で示されるように、本文領域Ｔ２において各行の文書の方向（右側から左側）に沿って文頭からステップ状に立ち上がり、文末に向かって徐々に低下する傾向を解析する処理である。
【００３６】
ヒストグラム解析処理では、画像解析部３０は、読取時の原稿画像にかかわらず、最初に主走査方向Ｍに対して実施し、主走査方向Ｍの各位置における輝度値を取得し、次に副走査方向Ｓに各位置の輝度値を累積する。これにより、画像解析部３０は、主走査方向Ｍを横軸とするヒストグラムと、副走査方向Ｓを横軸とするヒストグラムとを取得することができる。画像解析部３０は、いずれの方向を横軸とするヒストグラムに上述の特徴がより顕著に表れているか否かに基づいて原稿方向検出で確認された原稿方向を確認することができる。
【００３７】
ステップＳ４５では、画像解析部３０は、方向情報出力処理を実行する。方向情報出力処理は、ヒストグラム解析処理で決定された原稿方向を出力する処理である。
【００３８】
（１）第１の方向（印刷時の方向）：ページ画像の上側方向が副走査方向Ｓと一致し、ページ画像の水平方向が主走査方向Ｍと平行（図３（ａ）の配置例）
（２）第２の方向：ページ画像の上側方向が主走査方向Ｍの方向と一致し、ページ画像の水平方向が副走査方向Ｓと平行（第１の方向から時計回りに９０度回転した方向）
（３）第３の方向：ページ画像の上側方向が副走査方向Ｓの反対方向であり、ページ画像の水平方向が主走査方向Ｍと平行（第１の方向から時計回りに１８０度回転した方向）
（４）第４の方向：ページ画像の上側方向が主走査方向Ｍの反対方向であり、ページ画像の水平方向が副走査方向Ｓと平行（第１の方向から時計回りに２７０度回転した方向）
【００３９】
なお、この例では、１つめのページ画像が第１の方向に配置されている場合、本文領域Ｔ１とページ番号領域Ｎ１とは、第１の位置関係を有しており、２つめのページ画像が第２乃至第４の方向に配置されている場合、本文領域Ｔ１とページ番号領域Ｎ１とは、第２の位置関係を有している。また、第１の方向に配置されている画像は正常画像と呼ばれ、第２乃至第４の方向に配置されている画像は乱丁画像とも呼ばれる。
【００４０】
ただし、このような定義は、相対的なものであり、１つめのページ画像が第２の方向に配置されている場合（正常画像）、本文領域Ｔ１とページ番号領域Ｎ１とが第１の位置関係を有し、２つめのページ画像が第１，３及び第４の方向に配置されている場合（乱丁画像）、本文領域Ｔ１とページ番号領域Ｎ１とが第２の位置関係を有していると定義してもよい。
【００４１】
ステップＳ５０では、画像解析部３０は、回転処理を実行する。具体的には、ページ画像が第２の方向、第３の方向及び第４の方向に配置されている場合には、それぞれ反時計回りに９０度、１８０度及び２７０度の方向に回転し、第１の方向の配置とする。このような処理は、最終ページの検出まで繰り返して行われる（ステップＳ６０）。最終ページの決定は、たとえば操作表示部５０において最終ページである旨を入力することによって行われる。
【００４２】
ステップＳ７０では、画像形成装置１は、原稿方向が整列された画像データに基づいて出力処理を実行する。出力処理は、印刷媒体上への画像形成やブック原稿が電子化された電子データを出力することによって実行される。
【００４３】
このように、本実施形態に係る画像形成装置１は、文字認識処理（ＯＣＲ）やラベリングといった複雑な画像認識技術を使用することなく、ページ番号領域Ｎ１，Ｎ２を検出することにより、本文領域Ｔ１，Ｔ２との位置関係に基づいて、ページ画像の方向を特定して複数の原稿画像の方向を整列させることができる。さらに、画像形成装置１は、横書き或いは縦書きをも判別して、ページ毎に取得された２つの画像データの順序を必要に応じて適切に入れ替えることもできる。
【００４４】
これにより、原稿方向が整列された可読性の高いスキャン画像をユーザーに提供することを可能としている。さらに、画像形成装置１は、ページ数の少ないブック原稿において、綴じ部を判断できるほどの十分な濃度変化が生じない場合においてもページ画像の方向を検出することができるという利点を有している。
【００４５】
本発明は、上記実施形態だけでなく、以下のような変形例でも実施することができる。
【００４６】
変形例１：上記実施形態では、原稿台１７０を使用してブック原稿のページ毎に画像データを取得しているが、本発明は、自動原稿送り装置（ＡＤＦ）１６０で画像を読み取る場合にも適用することができる。具体的には、本発明は、ブック原稿を裁断することによって生成された複数の原稿をＡＤＦ１６０で読み取って電子化するブック原稿読取処理手順にも適用することができる。
【００４７】
ブック原稿を裁断することによって生成された複数の原稿は、ブック原稿を裁断する際に、一部の原稿で乱丁が発生することがある。本発明は、原稿の方向が他の原稿と相違する方向に向いてしまう乱丁を検出し、自動的に整列させることができる。具体的には、画像解析部３０は、図３の原稿を裁断した場合には、乱丁がなければ、奇数ページでは、ページ番号領域が左下で検出され、偶数ページでは、ページ番号領域が左下で検出されること（あるいは逆）を利用する。この点は、ＡＤＦ１６０が両面を読み取る機能を有し、両面を読み取る場合にも同様に処理され、両面の読取で形成される各画像データをページ順に並べて同様に処理することができる。
【００４８】
制御部１０は、ＡＤＦ１６０で連続して読み取られる複数の原稿の画像データ（図７（ａ）参照）を記憶部４０等に格納し、画像解析部３０は、各ページの画像におけるページ番号領域が前後のページの画像におけるページ番号領域と位置的な整合性を確保しているか否かを検出することができる。ＡＤＦ１６０での読取では、ユーザーが原稿をＡＤＦ１６０にセットする際に、１８０度ずれる乱丁（反転）に限定されるので（図７（ｂ）参照）、１８０度回転させることによって複数の原稿画像を整列させることができる。
【００４９】
変形例２：上記実施形態では、ブック原稿の見開き状態で画像を読み取ることができない小型の原稿台を有する画像形成装置に適用されているが、たとえばＡ３画像の読み取りが可能な大型の画像形成装置に適用することもできる。
【００５０】
変形例３：上記実施形態では、画像データの整列は、自動的に行われているが、たとえば図８（ａ）に示される操作表示部５０に表示されるユーザーインターフェース画面３１を利用して、プレビュー画面でユーザーが原稿の方向を確認し、ユーザーの入力操作に応じて回転処理を実行するようにしてもよい。具体的には、ユーザーインターフェース画面３１は、反転原稿３２ｂの検出に応じて、その前のページの原稿画像を対比のために左隣に表示し、プレビュー画面で反転状態を表示している。ユーザーは、この表示で乱丁状態を確認して、修正（反転）する場合には、アイコン３５をタッチして決定アイコン３７をタッチし、修正（反転）しない場合には、アイコン３６をタッチして決定アイコン３７をタッチする。これにより、ユーザーが意図しない回転処理を回避することができる。
【００５１】
なお、この場合においても、本文領域とページ番号領域の位置関係に基づいて検出された乱丁の方向（第１の回転角度の回転で整列可能な方向）と、ヒストグラム解析の結果と整合性を有する方向（第２の回転角度の回転で整列可能な方向）とが一致する場合には、ユーザーインターフェース画面３１の表示をスキップして自動的に回転処理を実行するように構成してもよい。
【００５２】
変形例４：上記実施形態では、ブック原稿のレイアウトパターンが図８（ｂ）に示されるユーザーインターフェース画面３１ａのアイコン３８ａ又はアイコン３８ｂに示されるパターンが想定されているが、必ずしもこれらのレイアウトパターンに限られず、たとえばユーザーインターフェース画面３１ａで選択することによってアイコン３８ｃやアイコン３８ｄに示されるレイアウトパターンを有するブック原稿にも本発明を適用することができる。
【００５３】
変形例５：上記実施形態は、画像形成装置に本発明が適用されているが、たとえば画像読取装置に適用することも可能である。
【符号の説明】
【００５４】
１  画像形成装置
１０  制御部
２０  画像形成部
３０  画像解析部
４０  記憶部
５０  操作表示部
１００  画像読取部
１１０  光源部
１２０  第１キャリッジ
１３１  第１反射鏡
１３５  第２反射鏡
１３６  第３反射鏡
１３７  第２キャリッジ
１３８  集光レンズ
１４１  イメージセンサ
１６０  自動原稿送り装置（ＡＤＦ）
１６１  紙送りローラ
１６２  原稿読取スリット
１７０  原稿台
【図１】
2018056783.tif 000003
【図２】
2018056783.tif 000004
【図３】
2018056783.tif 000005
【図４】
2018056783.tif 000006
【図５】
2018056783.tif 000007
【図６】
2018056783.tif 000008
【図７】
2018056783.tif 000009
【図８】
2018056783.tif 000010